(57)【特許請求の範囲】
【請求項１】
鉄筋コンクリートの外壁を構築する際の仮枠において、建物外側に配置する仮枠に、押出し発泡ポリスチレンをベニヤ板でサンドイッチ状態に接着した断熱構造の堰板の両端の押出し発泡ポリスチレンとベニヤ板にコの字型固定金具と略Ｚ字型固定金具を接着し、コの字型固定金具の建物外側折曲面と略Ｚ字型固定金具の建物外側折曲面に外壁石材を貼付けると共に、このように構成された外断熱仮枠を横方向に複数組並べて，コの字型固定金具と略Ｚ字型固定金具を噛み合わせ、噛み合わせたコの字型固定金具の内側折曲面と略Ｚ字型固定金具の内側折曲部に開けられたセパレーター取付穴にセパレーターを挿入し、セパレーターとナットでコの字型固定金具と略Ｚ字型固定金具を固定すると共に、室内側の仮枠には、堰板と根太で仮枠を構成し、外断熱仮枠と室内側仮枠をセパレーターとプラスチックコーンと仮枠間隔保持材で固定したことを特徴とする隣地空無し外断熱石貼りＲＣ建築工法。
【請求項２】
外断熱仮枠に取付ける外壁石材の、上部切断面と下部切断面に複数の欠込部を設けると共に、三角形状の鋼板の端をＬ字型に折曲げた２枚の鋼板を、背中合わせに重ねて接合した石材固定金具を、外壁石材の欠込部に挿入し、ベニヤ板で押出し発泡ポリスチレンをサンドイッチ状に挟み込んだサンドイッチ断熱材の、石材固定金具の位置に対応する部分に石材固定金具を貫通させる穴を開け、上下に位置する外壁石材をコの字型固定金具の建物外側折曲面と略Ｚ字型固定金具の建物外側折曲面に接着剤で貼付けると共に、サンドイッチ断熱材の石材固定金具用の穴を貫通した石材固定金具の先端を折曲げ、外壁石材をサンドイッチ断熱材に金具止めした事を特徴とする請求項１に記載の隣地空無し外断熱石貼りＲＣ建築工法。
【請求項３】
コの字型固定金具と略Ｚ字型固定金具を、押出成形された樹脂で構成した事を特徴とする請求項１に記載の隣地空無し外断熱石貼りＲＣ建築工法。
【請求項４】
コの字型固定金具と略Ｚ字型固定金具を、それぞれ建物外側部分と建物内側部分に２分割し、建物外側部分は押出成形された樹脂で構成し、建物内側部分は板金加工された鋼板で構成し、このように構成された２個の建物外側部分と建物内側部分を契合させて一体とし、コの字型固定金具と略Ｚ字型固定金具を構成した事を特徴とする請求項１に記載の隣地空無し外断熱石貼りＲＣ建築工法。
【発明の詳細な説明】
【技術分野】
【０００１】  この発明は、建物外壁に石材を使用したＲＣコンクリート建物の外断熱工法に関するものである。
【背景技術】
【０００２】  従来から、ＲＣコンクリート建物の建築工法の一つとして、外壁面に断熱材を施工する外断熱工法がある。建物躯体の外壁に断熱材を施工するため、建物の内部の蓄熱性が高まると共に、年間を通じて室内の温度変動が少なくなり、冷暖房等のエネルギーの消費を抑制し、省エネに貢献している。【０００３】  さらに、外断熱工法は、内断熱工法で問題となっている内部結露の発生を防止し、カビの発生を抑制し、冷暖房の熱効率が高くなると云った利点がある。また、建物の躯体が直接外気と接しないため、真夏の暑い太陽熱や、冬の冷害による建物躯体への悪影響を大幅に減少させ、建物躯体の耐久性が向上すると云った利点がある。【０００４】  しかしながら、このような外断熱工法で、ＲＣコンクリート建物を構築しようとした場合、これまでは、躯体コンクリートを構築後、躯体コンクリートの外壁面に断熱材を接着して、その上に耐火材をアンカーで躯体コンクリートに固定する方法や、ガラス繊維等を躯体コンクリートの外壁面にアンカーで固定して、その上に耐火モルタル等を施工する方法が行われてきた。【０００５】  このように、何れの外断熱施工方法にしても、建築中の建物の外側で人手により断熱材を施工する作業を行う必要があるため、建物の外側に足場を設置しなければならず、都市部の建物が密集した狭小地では、土地の有効利用と云う観点から考えて、実質的には外断熱工法でＲＣコンクリート建物を建築することは不可能であった。
【先行技術文献】
【特許文献】
【０００６】  下記の２件の特許文献においても、いずれもＲＣコンクリート建物の躯体コンクリートを構築後、躯体コンクリートの外壁面に断熱材を接着剤で張り付け、その断熱材に貼り付けたガラス繊維ネット等をアンカー等で躯体コンクリートに固定したり、又は外断熱用断熱パネルをアンカー等で直接躯体コンクリートに固定している。
【特許文献１】特開２００３−１３５８３
【特許文献２】特開２０１０−１７４５０１
【０００７】  このように、何れの外断熱施工方法においても、ＲＣコンクリート建物の躯体コンクリートを構築後、躯体コンクリートの外壁面に断熱材を施工するため、建物の外側に足場を設置しなければならず、そのため隣地との間に足場構築用の空間を約４０ｃｍ以上開けなければならず、土地の有効利用の妨げとなっていた。
【発明の概要】
【発明が解決しようとする課題】
【０００８】  本発明は、このような、従来の欠点に鑑みて、隣家との隙間が狭い場合でも、外断熱工法でＲＣコンクリート建物を建築する事を可能とし、さらに、外壁の外側に施工する外壁断熱材に、生コンクリートを打設する際の仮枠としての機能を持たせるため、従来、建物の外側に構築していた仮枠が不要となり、土地を最大限に活用する事が出来ると共に、工期が短縮され、安価で容易に施工できる石貼り外断熱工法を提供する事を主な課題とする。
【課題を解決するための手段】
【０００９】  かかる課題を解決するために、請求項１に記載の発明は、鉄筋コンクリートの外壁を構築する際の仮枠において、建物外側に配置する仮枠に、押出し発泡ポリスチレンをベニヤ板でサンドイッチ状態に接着した断熱構造の堰板の両端の押出し発泡ポリスチレンとベニヤ板にコの字型固定金具と略Ｚ字型固定金具を接着し、コの字型固定金具の建物外側折曲面と略Ｚ字型固定金具の建物外側折曲面に外壁石材を貼付けると共に、このように構成された外断熱仮枠を横方向に複数組並べて，コの字型固定金具と略Ｚ字型固定金具を噛み合わせ、噛み合わせたコの字型固定金具の内側折曲面と略Ｚ字型固定金具の内側折曲部に開けられたセパレーター取付穴にセパレーターを挿入し、セパレーターとナットでコの字型固定金具と略Ｚ字型固定金具を固定すると共に、室内側の仮枠には、堰板と根太で仮枠を構成し、外断熱仮枠と室内側仮枠をセパレーターとプラスチックコーンと仮枠間隔保持材で固定したことを特徴とする。【００１０】  請求項２に記載の発明は、外断熱仮枠に取付ける外壁石材の、上部切断面と下部切断面に複数の欠込部を設けると共に、三角形状の鋼板の端をＬ字型に折曲げた２枚の鋼板を、背中合わせに重ねて接合した石材固定金具を、外壁石材の欠込部に挿入し、ベニヤ板で押出し発泡ポリスチレンをサンドイッチ状に挟み込んだサンドイッチ断熱材の、石材固定金具の位置に対応する部分に石材固定金具を貫通させる穴を開け、上下に位置する外壁石材をコの字型固定金具の建物外側折曲面と略Ｚ字型固定金具の建物外側折曲面に接着剤で貼付けると共に、サンドイッチ断熱材の石材固定金具用の穴を貫通した石材固定金具の先端を折曲げ、外壁石材をサンドイッチ断熱材に金具止めした事を特徴とする。【００１１】  請求項３に記載の発明は、コの字型固定金具と略Ｚ字型固定金具を、押出成形された樹脂で構成した事を特徴とする。【００１２】  請求項４に記載の発明は、コの字型固定金具と略Ｚ字型固定金具を、それぞれ建物外側部分と建物内側部分に２分割し、建物外側部分は押出成形された樹脂で構成し、建物内側部分は板金加工された鋼板で構成し、このように構成された２個の建物外側部分と建物内側部分を契合させて一体とし、コの字型固定金具と略Ｚ字型固定金具を構成した事を特徴とする。
【発明の効果】
【００１４】  請求項１に記載の発明によれば、鉄筋コンクリートの外壁を構築する際の仮枠において、建物外側に配置する仮枠に、押出し発泡ポリスチレンをベニヤ板でサンドイッチ状態に接着した断熱構造の堰板の両端の押出し発泡ポリスチレンとベニヤ板にコの字型固定金具と略Ｚ字型固定金具を接着し、コの字型固定金具の建物外側折曲面と略Ｚ字型固定金具の建物外側折曲面に外壁石材を貼付けると共に、このように構成された外断熱仮枠を横方向に複数組並べて，コの字型固定金具と略Ｚ字型固定金具を噛み合わせ、噛み合わせたコの字型固定金具の内側折曲面と略Ｚ字型固定金具の内側折曲部に開けられたセパレーター取付穴にセパレーターを挿入し、セパレーターとナットでコの字型固定金具と略Ｚ字型固定金具を固定すると共に、室内側の仮枠には、堰板と根太で仮枠を構成し、外断熱仮枠と室内側仮枠をセパレーターとプラスチックコーンと仮枠間隔保持材で固定したことにより、従来は、コンクリートの躯体が完成した後、作業員が建物の外側に設置した足場に上ってコンクリートの躯体に断熱材を施工していたが、本発明によれば、あらかじめコンクリートの躯体の外壁に該当する仮枠に、断熱材と外壁石材を組込み、生コンクリート打ち込み後には、建物外側の仮枠が、そのまま外壁となる事を可能としたため、隣家との間に足場を設置する必要が無くなり、都会の狭い敷地でも土地を有効に活用する事が可能となるばかりでなく、現場の足場の悪い状態の中で、コンクリート躯体の外壁断熱材と外壁石材を施工する必要が無くなったため、断熱材と外壁石材の建て付け精度が向上し、工期を短縮する事も可能となった。【００１５】  請求項２に記載の発明によれば、外断熱仮枠に取付ける外壁石材の、上部切断面と下部切断面に複数の欠込部を設けると共に、三角形状の鋼板の端をＬ字型に折曲げた２枚の鋼板を、背中合わせに重ねて接合した石材固定金具を、外壁石材の欠込部に挿入し、ベニヤ板で押出し発泡ポリスチレンをサンドイッチ状に挟み込んだサンドイッチ断熱材の、石材固定金具の位置に対応する部分に石材固定金具を貫通させる穴を開け、上下に位置する外壁石材をコの字型固定金具の建物外側折曲面と略Ｚ字型固定金具の建物外側折曲面に接着剤で貼付けると共に、サンドイッチ断熱材の石材固定金具用の穴を貫通した石材固定金具の先端を折曲げ、外壁石材をサンドイッチ断熱材に金具止めしたため、簡単な構造で石材を固定する事が可能となった。【００１６】  請求項３に記載の発明によれば、コの字型固定金具と略Ｚ字型固定金具を、押出成形された樹脂で構成した事により、安価で大量生産する事が可能となった。【００１７】  請求項４に記載の発明によれば、コの字型固定金具と略Ｚ字型固定金具を、それぞれ建物外側部分と建物内側部分に２分割し、建物外側部分は押出成形された樹脂で構成し、建物内側部分は板金加工された鋼板で構成し、このように構成された２個の建物外側部分と建物内側部分を契合して一体とし、コの字型固定金具と略Ｚ字型固定金具を構成した事により、金属製の金具でコの字型固定金具５と略Ｚ字型固定金具１１を構成した場合に比べ、熱境対策（鋼材を伝わって室内（室外）の熱が室外（室内）に伝わり断熱効果が減少する事を言う���を行う事が可能となり、建物の外断熱効果を更に高めることが可能となった。
【実施例１】
【００１９】  以下、この発明の実施の形態１について説明する。
［発明の実施の形態１］【００２０】  図１及至図９は、この発明の実施の形態１を示す。【００２１】  図１は、建物外壁に石材を使用したＲＣコンクリート建物の、外断熱仮枠１を構成する各々部材を分解図で示す。現場で使用する外断熱仮枠１の１組の大きさは、横が約４０ｃｍ、縦が約３ｍの大きさになるため、単純に略縮小した図を画いた場合、細部の描写が小さくなり見づらくなってしまうため、図１及至図３と図７、図８では、横方向が約４０ｃｍの概中間部に曲線を２本画いて、横方向を縮めて表した。【００２２】  図１で示すように、外断熱仮枠１は、外壁石材２（縦が約４００ｍｍ×横が約４００ｍｍの石材）、外側ベニヤ板３（縦が約３ｍ×横が約４００ｍｍ×厚さ３ｍｍ）、押出し発泡ポリスチレン８（縦が約３ｍ×横が約４００ｍｍ×厚さ５０ｍｍ）、内側ベニヤ板９（縦が約３ｍ×横が約４００ｍｍ×厚さ３ｍｍ）とコの字型固定金具５、略Ｚ字型固定金具１１で構成される。コの字型固定金具５は、厚さ０．８ｍｍの鋼板の両端をコの字型に折り曲げると共に、建物内側部分に面する穴付折曲面７には複数のセパレーター取付穴６が開けられる。また、略Ｚ字型固定金具１１は、厚さ０．８ｍｍの鋼板の両端を互いに逆方向に折り曲げると共に、建物外側方向の折曲面１３がコの字型固定金具５の折曲面４と同様に折り曲げられると共に、建物内側部分に面する穴付折曲面１２には複数のセパレーター取付穴１０が開けられる。【００２３】  この場合、コの字型固定金具５と略Ｚ字型固定金具１１の穴付折曲面７、穴付折曲面１２に開口するセパレーター取付穴６、セパレーター取付穴１０の位置は、図６、図７で示すように、外断熱仮枠１を横方向に複数個並べてセパレーターで固定する際に、コの字型固定金具５の穴付折曲面７に開けられたセパレーター取付穴６の位置と、略Ｚ字型固定金具１１の穴付折曲面１２に開けられたセパレーター取付穴１０の位置が、セパレーターを挿入する際に同一穴位置になるように開口穴を開ける事が必要である。【００２４】  図２は、図１で説明した外側ベニヤ板３と押出し発泡ポリスチレン８と内側ベニヤ板９を接着剤で接着した状態を示す。実際の作業においては、約３ｍ×約９０ｃｍに切断された押出し発泡ポリスチレンの両面に３ｍｍの厚さのベニヤ板を接着剤で接着し、プレス機械にかけて圧着した後、所定の大きさ（約４０ｃｍ×約３ｍ）に切断してサンドイッチ断熱材（堰板）２９を製造する。【００２５】  図３ａは、図２で説明したサンドイッチ断熱材（堰板）２９に、コの字型固定金具５と略Ｚ字型固定金具１１を貼り付けた状態を示す。図２で示すサンドイッチ断熱材（堰板）２９の側面２３と外側ベニヤ板３の室外面が、コの字型固定金具５の内面２２と折曲面４の内側３１に対して接着剤で固定され取付けられる。同様に、図２で示すサンドイッチ断熱材（堰板）２９の側面２７と外側ベニヤ板３の室外面が、略Ｚ字型固定金具１１の内面２５と折曲面の内側３０に対して接着剤で固定され取付けられる。【００２６】  図３ｂは、図２と図３ａで説明したサンドイッチ状態に接着した断熱構造のサンドイッチ断熱材（堰板）２９の両端に接着したコの字型固定金具５の折曲面の外側２０と略Ｚ字型固定金具１１の折曲面の外側２８に���し、接着剤で外壁石材２（約４００ｍｍ×約４００ｍｍの石材）を縦に７枚貼り付けた状態を示す。なお、７枚の外壁石材２を、コの字型固定金具５の折曲面の外側２０と略Ｚ字型固定金具１１の折曲面の外側２８に接着する際に、図４で示すように、外壁石材３８、外壁石材３９の上部切断面の左右２箇所に、石削込用の丸のこぎりで半円形状の上部欠込部４０、上部欠込部４１を切断面の中心部に形成すると共に、上部欠込部４０、上部欠込部４０の室内側に石材固定金具４２の接合部４７の厚さと同じ厚さの固定金具欠込部４６を凹状に欠込むように形成する。さらに外壁石材３８、外壁石材３９の下部切断面の左右２箇所に、上部欠込部４０、上部欠込部４１に相対する位置に石削込用の丸のこぎりで半円形状の下部欠込部４４、下部欠込部４５を形成する。このように構成された上下の外壁石材３８、外壁石材３９を、コの字型固定金具５の折曲面の外側２０と略Ｚ字型固定金具１１の折曲面の外側２８に対して、接着剤で接合する際に、図４の拡大図２で示す、三角形状で、端をＬ字型に曲げた２枚の鋼板を背中合わせに重ね、折曲部に近い接合部４７を溶接して２枚をＴ型形状で一体となるように固定した石材固定金具３９を、外壁石材３８、外壁石材３９に設けた下部欠込部４５と上部欠込部４０（同様に下部欠込部４４と上部欠込部４１）の間に挿入し、図５ａで示すようにサンドイッチ断熱材（堰板）２９に開けられた、直径約４０ｍｍの石材固定穴２４に石材固定金具４２、石材固定金具４３を挿入し、上下の外壁石材３８、外壁石材３９は、コの字型固定金具５の折曲面の外側２０と略Ｚ字型固定金具１１の折曲面の外側２８に対して接着剤で接合されると共に、石材固定穴２４に挿入された石材固定金具の先端を折り曲げの事により、外壁石材３８、外壁石材３９は、図５ｂで示すように内側ベニヤ板９に金具止めされる。このように、上部欠込部４０、上部欠込部４１の室内側に石材固定金具４２の接合部４７の厚さと同じ厚さの固定金具欠込部４６を凹状に欠込み、その凹状の隙間に石材固定金具３９の接合部４７を挿入する事により、上下に積み重ねる外壁石材３８と外壁石材３９の間の隙間を無くなり、上下に積み重ねる外壁石材３８を一体として構成する事が可能となる。【００２７】  図６は、外断熱仮枠を横方向に複数個並べて外壁外側仮枠を構成するため、外断熱仮枠に取付けたコの字型固定金具５と略Ｚ字型固定金具１１を、噛み合わせて接合させた状態を平面図で示す。【００２８】  図６ａは、外断熱仮枠を横に２枚並べた状態の断面図をカット図面で示す。黒い太線で画いているのが、コの字型固定金具５と略Ｚ字型固定金具１１である。このコの字型固定金具５と略Ｚ字型固定金具１１の穴付折曲面７、穴付折曲面１２には、図１で説明したセパレーター取付穴６、セパレーター取付穴１０が、コの字型固定金具５の外面２１と略Ｚ字型固定金具１１の外面２６を接着剤で組合わせて固定した際に、同位置に位置するように開けられ、図６ｂに示すように、コの字型固定金具５と略Ｚ字型固定金具１１のセパレーター取付穴（図示せず）にセパレーター５１が挿入されナット５３で固定された後、セパレーター５１は、室内側仮枠の堰板５０にプラスチックコーン５２と共に固���される。なお、コの字型固定金具５のコの字型の内側寸法（図１で説明した折曲面４と穴付折曲面７の内側寸法）は、図６ｂで示した外側ベニヤ板（厚さ３ｍｍ）と押出し発泡ポリスチレン（厚さ５０ｍｍ）と内側ベニヤ板（厚さ３ｍｍ）を合計した厚さ（５６ｍｍ）にナット５３の厚さを加えた寸法とする。また、コの字型固定金具５の外面２１の外側幅Ａと略Ｚ字型固定金具１１の外壁側−穴付折曲面内側Ｂの寸法は同一寸法で構成され、図６ｂで示すように、コの字型固定金具５と略Ｚ字型固定金具１１を契合した際に、互いに噛み合わさるように構成される。このように構成する事により、互いに横方向に複数組並べた外壁石材の外壁面がフラットな平面状態となる。【００２９】  図７は、図６で説明した外断熱仮枠を横に３組並べてセパレーター５１をコの字型固定金具５と略Ｚ字型固定金具１１のセパレーター取付穴にナットで固定した状態を斜視図で示す。【００３０】  図８は、図７で説明した３組並べてセパレーター５１をコの字型固定金具５と略Ｚ字型固定金具１１のセパレーター取付穴にナットで固定した外断熱仮枠に、室内側コンクリート仮枠５４を組み合わせた状態を示す。室内側コンクリート仮枠５４は、一般的なＲＣコンクリート仮枠で用いている鉄筋コンクリートの仮枠を組み立てるのと同様に、堰板５７（ベニヤ板）が根太５８で固定され、その根太５８を大引（単管）５９と仮枠間隔保持材５５で固定している。このように施工された仮枠内部に、生コンクリートが打ち込まれ、生コンクリートが固まった後、室内側コンクリート仮枠５４を解体する、この際、外断熱仮枠は外壁躯体コンクリートと一体となり、外断熱仮枠に貼付けた外壁石材が建物の外壁となる。【００３１】  図９は、建物躯体のコーナー部分に外断熱仮枠を施工する際の、コーナー用の外断熱仮枠とコーナー用押出し発泡ポリスチレンを示す。コーナー用外断熱仮枠６８、コーナー用外断熱仮枠６９は、建物の間口幅に合わせて外壁石材８８、外壁石材７２の幅を設定し、その外壁石材の幅に合わせて外側ベニヤ板と押出し発泡ポリスチレンと内側ベニヤ板の幅を作成し、外断熱仮枠を製作する。このように製作されたコの字型固定金具９０と略Ｚ字型固定金具７１に対して三角形状に構成した角部支え金具８９を取付けて、ボルトとナットでコの字型固定金具９０と略Ｚ字型固定金具７１と角部支え金具８９を固定し、つづいて角部支え金具８９にセパレーター７９をナット９３で固定し、セパレーター７９の他端はプラスチックコーン９２で室内側コンクリート仮枠に固定される。なお、コの字型固定金具９０と略Ｚ字型固定金具７１と外壁石材７２、外壁石材８８で囲まれた空間には、略四角形状の押出し発泡ポリスチレン７０が挿入され接着剤でコの字型固定金具９０と略Ｚ字型固定金具７１に固定される。
【実施例２】
【００３２】  以下、この発明の実施の形態２について説明する。
［発明の実施の形態２］【００３３】  図１０は、図６で説明したコの字型固定金具５と略Ｚ字型固定金具１１を熱境対策（鋼材を伝わって室内（室外）の熱が室外（室内）に伝わり断熱効果が減少する事を言う）のため、それぞれを建物外側方向と建物内側方向に２分割して、建物外側方向を樹脂で形成し、建物内側方向を鋼板で形成し、２分割した建物外側方向を構成した樹脂と、建物内側方向を構成した鋼板を噛合わせた状態を、コの字型固定金具と略Ｚ字型固定金具の断面図を示す。図６では、コの字型固定金具５は一枚の鋼板をコの字型に成形（板金加工）して造られているが、この発明の実施の形態２の、図１０では、コの字型固定金具１１０は建物外側方向と建物内側方向に２分割され、建物外側方向の斜め斜線で囲った建物外側部１１８は、押出成形された略Ｌ型形状の樹脂で形成され、建物内側部１１１と契合する先端部には、コの字型の形状をしたコの字型契合部１１６が形成されると共に、建物内側方向の太い実線で示した建物内側部１１１は、鋼板を板金加工して略Ｌ型形状に形成され、建物外側部１１８と契合する先端部には、柄杓型の形状をした柄杓型契合部１１５が形成され、建物内側部１１１の柄杓型契合部１１５と、建物外側部１１８のコの字型契合部１１６が契合されて一体となり、図６で説明したコの字型固定金具５と同様の機能を持つコの字型固定金具１１０が構成される。【００３４】  同様に、図６では、略Ｚ字型固定金具１１は一枚の鋼板をＺ字型に成形（板金加工）して作られているが、この発明の実施の形態２の、図１０では、略Ｚ字型固定金具１０６は建物外側方向と建物内側方向に２分割され、建物外側方向の斜め斜線で囲った建物外側部１０９は、押出成形された略Ｌ字型形状の樹脂で形成され、建物内側部１０５と契合する先端部には、コの字型の形状をしたコの字型契合部１０７が形成されると共に、建物内側方向の太い実線で示した建物内側部１０５は、鋼板を板金加工して略Ｌ型形状に形成され、建物外側部１０９と契合する先端部には、柄杓型の形状をした柄杓型契合部１０８が形成され、建物内側部１０５の柄杓型契合部１０８と、建物外側部１０９のコの字型契合部１０７が契合されて一体となり、図６で説明した略Ｚ字型固定金具１１と同様の機能を持つ略Ｚ字型固定金具１０６が構成される。このように、コの字型固定金具５と略Ｚ字型固定金具１１を２分割して鋼材と樹脂で成形し、これらを契合させて一体のコの字型固定金具１１０と略Ｚ字型固定金具１０６とする事により、熱境対策（鋼材を伝わって室内（室外）の熱が室外（室内）に伝わり断熱効果が減少する事を言う）を行う事が可能となり、外断熱の効果を一層発揮させる事が可能となる。その他の構造は、この発明の実施の形態１と同様である。【００３５】  以上の実施の形態に基づいて、本発明に係る隣地空無し外断熱石貼りＲＣ建築工法について詳細に説明してきたが、本発明は、以上の実施の形態に限定されるものではなく、発明の趣旨を逸脱しない範囲において各種の改変をなしても、本発明の技術的範囲に属するのはもちろんである。【００３７】  図１において、断熱材の押出し発泡ポリスチレンを挟み込むために、ベニヤ板を使用したが、ベニヤ板に変えてメラミン合板���を使用することは、もちろん可能である。さらに、ベニヤ板の厚さに関して３ｍｍと表記したが、外壁に使用する石材の大きさによりベニヤ板の厚さを変える事は可能である。【００３８】  図１において、外壁石材の大きさを、縦が約４００ｍｍ×横が約４００ｍｍの石材と表現したが、このサイズにこだわらず、他のサイズの石材を用いる事も、もちろん可能である。この場合には、外断熱仮枠の横方向の大きさも、もちろん石材の大きさに合わせて変化させる事は当然である。【００３９】  図４、図５において上部欠込部と下部欠込部が形成された外壁石材について説明したが、この外壁に用いる石材に関しては、天然石材、人工石材、タイル等の素材を用いる事も、もちろん可能である。【００４０】  図４において、石材固定金具３９は、三角形状の鋼板をＬ字型に折曲げ、２枚を背中合わせに重ねてＴ形状に接合しているが、三角形状の鋼板については、この形状にこだわらず、台形、長方形等の形状の鋼材を用いる事も、もちろん可能である。
【図面の簡単な説明】
【００４１】
【図１】この発明の実施の形態１に係る、外断熱仮枠を構成する各々部材を分解図で表し、斜視図で示す。
【図２】同実施の形態に係る、図１で説明した外断熱仮枠のベニヤ板と押出し発泡ポリスチレンを接着した状態を斜視図で示す。
【図３】同実施の形態に係る、図２で説明した外断熱仮枠の各々部材を組立てた状態を斜視図で示す。
【図４】同実施の形態に係る、外壁石材を仮枠に金具止めするため、外壁石材に金具止めを取付けるための欠込部と石材固定金具を斜視図で示す。
【図５】同実施の形態に係る、図４で説明した外壁石材と石材固定金具を組立て、断熱材に取付けた状態を示す。
【図６】同実施の形態に係る、外断熱仮枠を構成する各々部材と、その組立後を分かりやすく平面図で示す。
【図７】同実施の形態に係る、図３で説明した外断熱仮枠を横方向に噛み合わせて並べた状態を斜視図で示す。
【図８】同実施の形態に係る、図７で説明した外断熱仮枠に、鉄筋、室内側コンクリート仮枠を配置した状態を斜視図で示す。
【図９】同実施の形態に係る、外断熱仮枠のコーナー部分を平面図で示す。
【図１０】この発明の実施の形態２に係る、外断熱仮枠を構成する各々部材と、その組立後を分かりやすく平面図で示す。
【符号の説明】
【００４２】１                外断熱仮枠
２                外壁石材
３                外側ベニヤ板
４                折曲面
５                コの字型固定金具
６                セパレーター取付穴
７                穴付折曲面
８                押出し発泡ポリスチレン
９                内側ベニヤ板
１０              セパレーター取付穴
１１              Ｚ字型固定金具
１２              穴付折曲面
１３              折曲面
２０              折曲面の外側
２１              外面
２２              内面
２３              側面
２４              石材固定穴
２５              内面
２６              外面
２７              側面
２８              折曲面の外側
２９              サンドイッチ断熱材（堰板）
３０              折曲面の内側
３１              折曲面の内側
３８              石材固定金具
３９              石材固定金具
４０              上部欠込部
４１              上部欠込部
４２              石材固定金具
４３              石材固定金具
４４              下部欠込部
４５              下部欠込部
４６              固定金具欠込部
４７              接合部
４８              組込部
４９              折り曲げ形状
５０              堰板
５１              セパレーター
５２              プラスチックコーン
５３              ナット
５４              室内側コンクリート仮枠
５５              仮枠間隔保持材
５６              鉄筋
５７              堰板
５８              根太
５９              大引（単管）
６８              コーナー用外断熱仮枠
６９              コーナー用外断熱仮枠
７０              押出し発泡ポリスチレン
７１              Ｚ字型固定金物
７２              外壁石材
７３              内側ベニヤ板
７４              外側ベニヤ板
７５              押出し発泡ポリスチレン
７６              コの字型固定金具
７７              押出し発泡ポリスチレン
７８              セパレーター
７９              セパレーター
８０              セパレーター
８１              室内側コンクリート仮枠
８２              室内側コンクリート仮枠
８３              押出し発泡ポリスチレン
８４              Ｚ字型固定金物
８５              内側ベニヤ板
８６              押出し発泡ポリスチレン
８７              外側ベニヤ板
８８              外側石材
８９              角部支え金具
９０              コの字型固定金具
９１              プラスチックコーン
９２              プラスチックコーン
９３              ナット
９９              外断熱仮枠
１００            外断熱仮枠
１０１            外壁石材
１０２            外側ベニヤ板
１０３            押出し発泡ポリスチレン
１０４            内側ベニヤ板
１０５            建物内側部
１０６            Ｚ字型固定金物
１０７            コの字型契合部
１０８            柄杓型契合部
１０９            建物外側部
１１０            コの字型固定金具
１１１            建物内側部
１１２            内側ベニヤ板
１１３            押出し発泡ポリスチレン
１１４            外側ベニヤ板
１１５            柄杓型契合部
１１６            コの字型契合部
１１７            外壁石材
１１８            建物外側部
【図１】
0005854320.tif 000002
【図２】
0005854320.tif 000003
【図３】
0005854320.tif 000004
【図４】
0005854320.tif 000005
【図５】
0005854320.tif 000006
【図６】
0005854320.tif 000007
【図７】
0005854320.tif 000008
【図８】
0005854320.tif 000009
【図９】
0005854320.tif 000010
【図１０】
0005854320.tif 000011